(57)【要約】【課題】専用カバーを製造するためのコストや、専用カバーを取り付けるための組み立て作業が必要となり、電子機器装置の製造コストが増加するという課題がある。【解決手段】押圧部１１２を有し、回動することによって開閉可能な回動カバーとしての正面カバー１１と、正面カバー１１によって覆われる開口部の領域と隣接し、筐体４０に固定された固定カバーと、押圧部１１２によって押圧される可動部であるレバー２２１とレバー２２１を支持する支持部２２２とを有し、レバー２２１の位置によって正面カバー１１の開閉状態を検出する検出部としてのリミットスイッチ２２と、を備え、リミットスイッチ２２の支持部２２２は、固定カバーによって覆われ、リミットスイッチ２２のレバー２２１は、開口部の領域に備えられたインクジェットプリンターを提供する。【選択図】図５
2012206293.tif 000002
【特許請求の範囲】
【請求項１】
押圧部を有し、回動することによって開閉可能な回動カバーと、
前記回動カバーによって覆われる領域と隣接し、筐体に固定された固定カバーと、
前記押圧部によって押圧される可動部と前記可動部を支持する支持部とを有し、前記可動部の位置によって前記回動カバーの開閉状態を検出する検出部と、を備え、
前記検出部の前記支持部は、前記固定カバーによって覆われ、前記検出部の前記可動部は、前記領域に備えられたことを特徴とする電子機器装置。
【請求項２】
請求項１に記載の電子機器装置であって、
前記固定カバーには、前記検出部の支持部を固定するための突出部が備えられたことを特徴とする電子機器装置。
【請求項３】
請求項１または請求項２に記載の電子機器装置であって、
前記押圧部の押圧方向に開口され、前記可動部を囲む開口壁を備えたことを特徴とする電子機器装置。
【請求項４】
請求項１から請求項３のいずれか一項に記載の電子機器装置であって、
前記押圧方向において、前記開口壁の長さは、前記可動部の可動範囲の長さより長いことを特徴とする電子機器装置。
【請求項５】
請求項１から請求項４のいずれか一項に記載の電子機器装置であって、
前記固定カバーには、端子接続部を備えるための開口部が形成されたことを特徴とする電子機器装置。
【請求項６】
請求項１から請求項５のいずれか一項に記載の電子機器装置であって、
前記突出部の断面形状は、Ｌ字形状であることを特徴とする電子機器装置。
【請求項７】
請求項１から請求項６のいずれか一項に記載の電子機器装置であって、
前記検出部の前記可動部は、前記支持部によって支持される回動軸を有し、回動可能なレバーであることを特徴とする電子機器装置。
【請求項８】
請求項１から請求項７のいずれか一項に記載の電子機器装置であって、
画像を形成する画像形成部を備えたことを特徴とする電子機器装置。
【発明の詳細な説明】
【技術分野】
【０００１】
本発明は、電子機器装置に関する。
【背景技術】
【０００２】
複写機、ファクシミリ、プリンターなどの電子機器装置には、筐体に設けられた開口部から、消耗品を交換したり、搬送経路に詰まった用紙を取り除いたりするため、回動することによって開口部を開閉可能にするカバーが取り付けられている。このような電子機器装置には、カバーが閉じた状態にあるか、開けた状態にあるかを検出するため、カバーの開閉状態に応じて、電気回路を開閉するスイッチが取り付けられているものがある。
【０００３】
例えば、特許文献１では、被カバー部材に機械的スイッチを設け、カバー部材に設けられたスイッチ押圧用リブによる機械的スイッチの押圧・押圧解除により、カバー部材の開閉を検出する装置が開示されている。
【先行技術文献】
【特許文献】
【０００４】
【特許文献１】特開２００８−７３８６９号公報
【発明の概要】
【発明が解決しようとする課題】
【０００５】
しかしながら、特許文献１では、機械的スイッチは、回動するカバーによって覆われる領域に備えられている。そのため、機械的スイッチを覆って保護するためや、機械的スイッチを固定して誤動作を防止するため、機械的スイッチの専用カバーを、回動するカバーによって覆われる領域に備えている。そのため、機械的スイッチの専用カバーを製造するためのコストや、専用カバーを取り付けるための組み立て作業が必要となり、電子機器装置の製造コストが増加するという課題がある。
【課題を解決するための手段】
【０００６】
本発明は、上述の課題の少なくとも一部を解決するためになされたものであり、以下の形態または適用例として実現することが可能である。
【０００７】
［適用例１］押圧部を有し、回動することによって開閉可能な回動カバーと、前記回動カバーによって覆われる領域と隣接し、筐体に固定された固定カバーと、前記押圧部によって押圧される可動部と前記可動部を支持する支持部とを有し、前記可動部の位置によって前記回動カバーの開閉状態を検出する検出部と、を備え、前記検出部の前記支持部は、前記固定カバーによって覆われ、前記検出部の前記可動部は、前記領域に備えられたことを特徴とする電子機器装置。
【０００８】
本適用例によれば、検出部の支持部は、固定カバーによって覆われ、検出部の可動部は、回動カバーによって覆われる領域に備えられる。これにより、検出部を覆って保護するための専用カバーを設けないので、専用カバーを製造するためのコストや、専用カバーを取り付けるための組み立て作業が不要となり、電子機器装置の製造コストの上昇を抑制できる。
【０００９】
［適用例２］前記固定カバーには、前記検出部の支持部を固定するための突出部が備えられたことを特徴とする上記電子機器装置。
【００１０】
これにより、検出部を固定して誤動作を抑制するための専用カバーを設けないので、専用カバーを製造するためのコストや、専用カバーを取り付けるための組み立て作業が不要となり、電子機器装置の製造コストの上昇を抑制できる。
【００１１】
［適用例３］前記押圧部の押圧方向に開口され、前記可動部を囲む開口壁を備えたことを特徴とする上記電子機器装置。
本適用例によれば、使用者の指などが可動部に当たってしまうことにより可動部が損傷してしまうことを抑制できる。
【００１２】
［適用例４］前記押圧方向において、前記開口壁の長さは、前記可動部の可動範囲の長さより長いことを特徴とする上記電子機器装置。
本適用例によれば、さらに可動部が損傷することを抑制できる。
【００１３】
［適用例５］前記固定カバーには、端子接続部を備えるための開口部が形成されたことを特徴とする上記電子機器装置。
【００１４】
本適用例によれば、スイッチを固定するためのカバーと、端子接続部を備えるための開口部が形成されたカバーとを一体に形成できるので、電子機器装置の製造コストの上昇を抑制できる。
【００１５】
［適用例６］前記突出部の断面形状は、Ｌ字形状であることを特徴とする上記電子機器装置。
本適用例によれば、スイッチの姿勢が変化することを抑制できる。
【００１６】
［適用例７］前記検出部の前記可動部は、前記支持部によって支持される回動軸を有し、回動可能なレバーであることを特徴とする上記電子機器装置。
本適用例によれば、電子機器装置の製造コストの上昇を抑制できる。
【００１７】
［適用例８］画像を形成する画像形成部を備えたことを特徴とする上記電子機器装置。
本適用例によれば、電子機器装置の製造コストの上昇を抑制できる。
【図面の簡単な説明】
【００１８】
【図１】インクジェットプリンターを正面側から見た外観斜視図。
【図２】正面カバーを開けた状態におけるインクジェットプリンターの外観斜視図。
【図３】リミットスイッチが備えられた部分の拡大図。
【図４】（ａ）は、リミットスイッチの外観斜視図、（ｂ）は、リミットスイッチにおけるレバーの断面を示す図。
【図５】（ａ）は、リミットスイッチが備えられた部分を示し、正面カバーが開いた状態を示す図、（ｂ）は、正面カバーに押圧部が設けられた部分の拡大図。
【図６】リミットスイッチが備えられた部分を示し、正面カバーが閉じた状態を示す図。
【図７】固定カバーの表側から見た図。
【図８】（ａ）は、固定カバーの裏側から見た図、（ｂ）は、突出部の断面形状を示す図。
【図９】（ａ）は、リミットスイッチと突出部と開口壁とを示す斜視図、（ｂ）は、開口壁の長さと、レバーの可動範囲における長さを示す図。
【発明を実施するための形態】
【００１９】
以下、本発明の実施形態について、図面を参照して説明する。
（実施形態）
図１は、電子機器装置の一例である画像形成装置としてのインクジェットプリンター１（以降は、プリンターという）を、正面側から見た外観斜視図である。プリンター１には、画像形成部３と、画像形成部３の鉛直方向Ｄ１における上側に配置されたスキャナー部２とが備えられる。
【００２０】
操作パネル４には、電源のオン・オフ操作や、印刷条件の設定操作などを行うための操作ボタン９が備えられる。また、操作パネル４には、印刷条件の設定内容や操作内容を表示するため、液晶パネルなどによって構成された表示部１０が備えられる。
【００２１】
スキャナー部２には、載置台７に載置された原稿（不図示）をスキャナー部２に給紙する給紙装置８が備えられる。スキャナー部２には、透明な原稿台（不図示）やイメージセンサーなどを搭載した読取部（不図示）などが備えられ、スキャナー部２は、読取部によって、原稿台上に給紙された原稿に描かれた画像を読取り、画像データを取得する。
【００２２】
プリンター１の正面側には、使用者によって引き出し可能な用紙カセット５が備えられ、用紙カセット５には、記録媒体としての用紙（不図示）が収納される。また、プリンター１の背面側には、用紙（不図示）を載置する用紙サポート６を含んで構成される給紙装置が備えられ、用紙サポート６に載置された用紙は、給紙装置によって画像形成部３に給紙される。
【００２３】
プリンター１は、用紙カセット５に収納された用紙または用紙サポート６に載置された用紙を画像形成部３内部に給紙し、用紙に画像を形成し、開口部１２から排紙する。排紙された用紙は、トレイ１３およびトレイ１３から引き出されたスタッカー１４に載置される。
【００２４】
プリンター１の図面右側は、固定カバー３０，３１，３２によって覆われる。固定カバー３０に形成された凹部３０１には、端子接続部としてのＵＳＢコネクター２１が備えられる。
【００２５】
使用者は、取手部１１０を持って、正面カバー１１を回動カバーとして矢印の方向に回動させることができる。図２は、正面カバー１１を開けた状態におけるプリンター１の外観斜視図である。図２に示すように、正面カバー１１を開けると、プリンター１の筐体４０における正面側には、プリンター１の横幅方向Ｄ２における長さの範囲Ｘと、鉛直方向Ｄ１における長さの範囲Ｙとによって示す開口部Ａが形成されている。
【００２６】
開口部Ａは、仕切り部材１７によって区分された、収納開口領域１９と、除去開口領域１６とが設けられている。正面カバー１１は、開口部Ａの鉛直方向Ｄ１における下側を回動軸として、回動することにより、図２に示すように開口部Ａを開けた状態にしたり、開口部Ａを、図１に示すように覆って閉じた状態にしたりすることができる。
【００２７】
開口部Ａは、本実施形態における正面カバー１１によって覆われる領域である。固定カバー３０は、開口部Ａの領域と隣接して備えられる。
【００２８】
プリンター１には、インクが収容されたインクカートリッジ（不図示）の下側角部を案内するガイドレール１８を含んで構成され、インクカートリッジを収納する収納部が設けられている。使用者は、正面カバー１１を開けた状態で、収納開口領域１９からインクカートリッジを収納部に収納したり、取り外したりすることができる。
【００２９】
記録媒体支持部１５上を搬送される用紙（不図示）に画像が形成される。用紙が搬送されている途中で、紙ジャムなどによって、用紙が記録媒体支持部１５に残ってしまう場合がある。このようなとき、使用者は、プリンター１の正面側に形成された除去開口領域１６から手を入れて、記録媒体支持部１５に残った用紙を取り除くことができる。
【００３０】
正面カバー１１の内側壁面１１１には、プリンター１の横幅方向Ｄ２に長い案内板２０が備えられている。案内板２０は、紙や樹脂材料などによって板状に形成されたものである。案内板２０には、インクカートリッジを収納部に収納したり取り外したりする際の説明内容などが記載されている。説明内容を案内板２０に印刷してもよいし、説明内容が印刷されたシートを案内板２０に貼り付けてもよい。
【００３１】
図３は、図２の検出部としてのリミットスイッチ２２が備えられた部分Ｂの拡大図である。図４（ａ）は、リミットスイッチ２２の外観斜視図である。リミットスイッチ２２は、可動部であるレバー２２１と、レバー２２１を支持する支持部２２２とを含んで構成される。
【００３２】
図４（ｂ）は、図４（ａ）の矢印Ｅ方向から見たレバー２２１の断面を示す図である。レバー２２１の一端には、支持部２２２によって支持される回動軸２２３が設けられる。支持部２２２には、レバー２２１を回動方向Ｄ４に回動させようとする付勢手段（不図示）が備えられている。図３、図４（ａ）、（ｂ）のレバー２２１に対して、押圧方向Ｄ３の力が作用すると、図４（ｂ）のレバー２２１は、回動軸２２３を回転中心として回動方向Ｄ５に回動する。
【００３３】
支持部２２２には、開閉可能なスイッチ用端子（不図示）が備えられる。リミットスイッチ２２は、回動方向Ｄ４，Ｄ５におけるレバー２２１の位置すなわち押圧方向Ｄ３におけるレバー２２１の位置によって、スイッチ用端子を接続状態または非接続状態にさせて電気回路を開閉するスイッチである。
【００３４】
図３に示すように、支持部２２２は、筐体４０に備えられ、筐体４０と固定カバー３０との間に位置する。リミットスイッチ２２は、レバー２２１における先端側が固定カバー３０側から図２の開口部Ａの領域に突き出すように備えられ、図３、図４（ａ）、（ｂ）のレバー２２１における被押圧面２２１ａは、開口部Ａの領域に位置する。
【００３５】
図３の固定カバー３０には、押圧方向Ｄ３における上流側と下流側すなわちプリンター１の正面側と裏面側が開口し、レバー２２１の先端側を囲む開口壁３０２が形成されている。開口壁３０２は、開口部Ａ側に突出し、開口部Ａの領域に位置するように備えられる。
【００３６】
図５（ａ）は、図１、図２の固定カバー３０を取り外し、リミットスイッチ２２が備えられた部分を示し、正面カバー１１が開いた状態を示す図である。リミットスイッチ２２の支持部２２２は、筐体４０に備えられる。
【００３７】
図５（ｂ）は、図５（ａ）の正面カバー１１に押圧部１１２が設けられた部分Ｃの拡大図である。正面カバー１１の横幅方向Ｄ２における図面右側には、図４の被押圧面２１１ａを押圧可能な押圧部１１２が形成されている。
【００３８】
図６は、固定カバー３０を取り外し、リミットスイッチ２２が備えられた部分を示し、正面カバー１１が閉じられた状態を示す図である。
【００３９】
図６の正面カバー１１が閉じた状態では、押圧部１１２は、リミットスイッチ２２のレバー２２１における被押圧面２２１ａを押圧する。リミットスイッチ２２は、レバー２２１の位置によって正面カバー１１の開閉状態を検出することができる。
【００４０】
図７は、固定カバー３０の表側すなわちプリンター１の正面側から見た図である。図３を用いて前述したように、固定カバー３０には、開口壁３０２が設けられる。また、固定カバー３０における凹部３０１には、図１、図２のＵＳＢコネクター２１を備えるための開口部３０３が形成されている。
【００４１】
図８（ａ）は、固定カバー３０の裏側すなわち筐体４０側から見た図である。固定カバー３０の裏側には、筐体４０側に突出する突出部３０４が設けられる。図８（ｂ）は、突出部３０４を、図８（ａ）の横幅方向Ｄ２から見た断面形状を示す図である。
【００４２】
図９（ａ）は、図７、図８の固定カバー３０を図５、図６の筐体４０に固定した状態において、筐体４０に備えられたリミットスイッチ２２と、突出部３０４と、開口壁３０２とを示す斜視図である。
【００４３】
図８（ｂ）に示すように、突出部３０４の断面形状は、Ｌ字形状である。固定カバー３０を筐体４０に固定した状態では、図８（ｂ）の突出部３０４における当接面３０４ａ、当接面３０４ａと略直交する当接面３０４ｂとが、図９（ａ）のリミットスイッチ２２における支持部２２２に当接し、支持部２２２が固定される。
【００４４】
図９（ｂ）は、押圧方向Ｄ３において、開口壁３０２の長さＬ１と、レバー２２１の可動範囲における長さＬ２を示す図である。図９（ｂ）の実線に示したレバー２２１は、正面カバー１１が開口部Ａを開けた状態において、正面カバー１１の押圧部１１２がレバー２２１の被押圧面２２１ａと離間した状態にあるときの位置を示す。
【００４５】
図９（ｂ）の破線に示したレバー２２１は、正面カバー１１が開口部Ａを閉じた状態において、正面カバー１１の押圧部１１２がレバー２２１の被押圧面２２１ａを押圧した状態にあるときの位置を示す。
【００４６】
正面カバー１１が開口部Ａを開けた状態における実線に示すレバー２２１は、正面カバー１１が開口部Ａを閉じた状態になると、レバー２２１の被押圧面２２１ａが、正面カバー１１の押圧部１１２に押圧されて破線に示すレバー２２１の位置に移動する。
【００４７】
図９（ａ）、（ｂ）の開口壁３０２の長さＬ１は、押圧部１１２の押圧方向Ｄ３における長さである。レバー２２１の可動範囲における長さＬ２は、正面カバー１１が開口部Ａを開けた状態におけるレバー２２１の被押圧面２２１ａの位置から、正面カバー１１が開口部Ａを閉じた状態におけるレバー２２１の先端部２２１ｂの図面下端の位置までの押圧方向Ｄ３における長さである。開口壁３０２の長さＬ１は、レバー２２１の可動範囲における長さＬ２より長い。
【００４８】
以上、本実施形態で説明したプリンター１は、押圧部１１２を有し、回動することによって開閉可能な回動カバーとしての正面カバー１１と、正面カバー１１によって覆われる開口部Ａの領域と隣接し、筐体４０に固定された固定カバー３０と、押圧部１１２によって押圧される可動部であるレバー２２１とレバー２２１を支持する支持部２２２とを有し、レバー２２１の位置によって正面カバー１１の開閉状態を検出する検出部としてのリミットスイッチ２２と、を備え、リミットスイッチ２２の支持部２２２は、固定カバー３０によって覆われ、リミットスイッチ２２のレバー２２１は、開口部Ａの領域に備えられる。
【００４９】
この構成によれば、リミットスイッチ２２を覆って保護するための専用カバーを設けないので、専用カバーを製造するためのコストや、専用カバーを取り付けるための組み立て作業が不要となり、プリンター１の製造コストの上昇を抑制できる。
【００５０】
また、固定カバー３０には、リミットスイッチ２２の支持部２２２を固定して誤動作を抑制するための突出部３０４が備えられる。
【００５１】
これにより、リミットスイッチ２２を固定して誤動作を抑制するための専用カバーを設けないので、専用カバーを製造するためのコストや、専用カバーを取り付けるための組み立て作業が不要となり、電子機器装置の製造コストの上昇を抑制できる。
【００５２】
また、プリンター１は、図５（ａ）、（ｂ）の押圧部１１２が押圧する押圧方向Ｄ３に開口され、図３のレバー２２１の先端側を囲む開口壁３０２を備える。
【００５３】
この構成によれば、使用者の指などがレバー２２１に当たってしまうことによりレバー２２１が損傷してしまうことを抑制できる。
【００５４】
また、図９（ａ）、（ｂ）の開口壁３０２の押圧方向Ｄ３における長さＬ１は、レバー２２１の可動範囲の長さＬ２より長い。これにより、さらにレバー２２１が損傷することを抑制できる。
【００５５】
固定カバー３０には、図１、図２の端子接続部としてのＵＳＢコネクター２１を備えるための図７の開口部３０３が形成されている。
【００５６】
これにより、リミットスイッチ２２を固定するためのカバーと、ＵＳＢコネクター２１を備えるための開口部３０３が形成されたカバーとを一体に形成できるので、プリンター１の製造コストの上昇を抑制できる。
【００５７】
また、突出部３０４の断面形状は、Ｌ字形状である。これにより、Ｌ字形状の端面を支持部２２２に当接させれば、リミットスイッチ２２の姿勢が変化することを抑制できる。
【００５８】
本実施形態では、検出部としてリミットスイッチ２２を用いたが、ＬＥＤやフォトトランジスターなどを用いて可動部の位置を光によって検出する検出部を用いてもよい。あるいは、可動部の位置を静電容量の変化によって検出する検出部を用いてもよい。
【００５９】
本実施形態では、電子機器装置の一例である画像形成装置としてのプリンター１について説明したが、パーソナルコンピューターなどの情報処理装置、コピーなどの画像複写装置、ＨＤＤレコーダーなどの画像記録装置、製品を組み立てる組み立て装置、製品を検査する検査装置などの電子機器装置にも適用できる。
【符号の説明】
【００６０】
１…インクジェットプリンター、３…画像形成部、１１…正面カバー、２１…ＵＳＢコネクター、２２…リミットスイッチ、３０…固定カバー、４０…筐体、１１２…押圧部、２２１…レバー、２２１ａ…被押圧面、２２２…支持部、２２３…回動軸、３０２…開口壁、３０３…開口部、３０４…突出部、Ａ…開口部、Ｄ３…押圧方向、Ｌ１，Ｌ２…長さ。
【図１】
2012206293.tif 000003
【図２】
2012206293.tif 000004
【図３】
2012206293.tif 000005
【図４】
2012206293.tif 000006
【図５】
2012206293.tif 000007
【図６】
2012206293.tif 000008
【図７】
2012206293.tif 000009
【図８】
2012206293.tif 000010
【図９】
2012206293.tif 000011